(57)【要約】【課題】音質を犠牲にする必要がなく音圧が不足することを防止するような音質調整用の設定を、手間をかけずに行うことが可能な音質調整装置を提供する。【解決手段】音質調整装置１は、音質調整用の値を変更するために、レベル設定手段１２、上限値設定手段１３、及びレベル補正手段１４を備える。レベル設定手段１２は、設定対象の周波数帯域毎に、可変範囲全てのボリューム値に対する音声出力レベルを設定する。上限値設定手段１３は、全ての音声出力レベルに共通の上限値を設定する。レベル補正手段１４は、上限値を用いて、レベル設定手段１２で設定した音声出力レベルのうち音圧が不足しているボリューム値の音声出力レベルを、上げるよう補正することで、音質特性を設定し直す。入力音声信号は、この設定し直し処理を経たレベル設定手段１２での設定に基づき、音質音量調整手段１５で音質・音量が調整され出力される。【選択図】図１
2008187624.tif 000002
【特許請求の範囲】
【請求項１】
入力された音声信号に対して音質を調整して出力する音質調整装置であって、設定対象の周波数帯域毎に、可変範囲全てのボリューム値に対する音声出力レベルを設定するレベル設定手段と、全ての音声出力レベルに共通の上限値を設定する上限値設定手段と、該上限値設定手段で設定された上限値を用いて、前記レベル設定手段で設定した音声出力レベルのうち音圧が不足しているボリューム値の音声出力レベルを、上げるよう補正して設定し直すレベル補正手段とを備え、前記レベル設定手段での設定に基づき、前記入力された音声信号に対して、各周波数帯域の現在のボリューム値に対応する音声出力レベルで出力することを特徴とする音質調整装置。
【請求項２】
前記レベル設定手段は、各ボリューム値に対して予め指定された基準の音声出力レベルを用いて、周波数帯域毎の各ボリューム値に対する音声出力レベルを初期設定レベルとして設定する初期設定手段を有することを特徴とする請求項１に記載の音質調整装置。
【請求項３】
ユーザから、指定の周波数帯域における各ボリューム値に対する音声出力レベルを変更する操作を受け付ける変更操作手段を備え、前記レベル設定手段は、前記変更操作手段で受け付けた操作に基づき、前記初期設定手段で設定された前記指定の周波数帯域における各ボリューム値に対する初期設定レベルとしての音声出力レベルを変更するユーザ変更設定手段を有することを特徴とする請求項２に記載の音質調整装置。
【請求項４】
ユーザから、指定の周波数帯域における各ボリューム値に対する音声出力レベルを設定する操作を受け付ける設定操作手段を備え、前記レベル設定手段は、前記設定操作手段で受け付けた操作に基づき、前記指定の周波数帯域における各ボリューム値に対する音声出力レベルを設定するユーザ設定手段を有することを特徴とする請求項１に記載の音質調整装置。
【請求項５】
前記レベル設定手段は、各周波数帯域における各ボリューム値に対する音声出力レベルを、周波数帯域別のボリュームテーブルとして設定することを特徴とする請求項１乃至４のいずれか１項に記載の音質調整装置。
【請求項６】
前記レベル設定手段は、各ボリューム値に対して前記予め指定された基準の音声出力レベルを基準ボリュームテーブルとして格納し、各周波数帯域における各ボリューム値に対する音声出力レベルを、前記基準ボリュームテーブルからの周波数帯域別のレベル変化値で設定することを特徴とする請求項２又は３に記載の音質調整装置。
【請求項７】
前記レベル補正手段は、前記レベル設定手段で設定した音声出力レベルのうちボリューム値の最小値から所定範囲に含まれるボリューム値に対する音声出力レベルが前記上限値を所定値以上下回った場合に音圧不足であると判断し、該下回った前記所定範囲以外のボリューム値に対する音声出力レベルを、前記上限値を用いて補正して設定し直すことを特徴とする請求項１乃至６のいずれか１項に記載の音質調整装置。
【請求項８】
前記レベル補正手段は、前記レベル設定手段で設定した周波数帯域別のレベル変化値の絶対値をもつ音声出力レベルが前記上限値を超えた場合に音圧不足であると判断し、該超えた音声出力レベルに対応した前記周波数帯域別のレベル変化値で設定した音声出力レベルを、前記上限値を用いて補正して設定し直すことを特徴とする請求項６に記載の音質調整装置。
【請求項９】
前記レベル補正手段は、前記上限値を用いた補正で設定し直した或るボリューム値に対する音声出力レベルが前記上限値を超えた場合、該超えた音声出力レベルを前記上限値に補正して再度設定し直すことを特徴とする請求項８に記載の音質調整装置。
【請求項１０】
入力された音声信号に対して音質を調整して出力する音質調整方法であって、設定対象の周波数帯域毎に、可変範囲全てのボリューム値に対する音声出力レベルを設定する操作を受け付ける操作受付ステップと、該操作受付ステップで受け付けた操作を実行し前記音声出力レベルを設定するレベル設定ステップと、全ての音声出力レベルに共通の上限値を設定する操作を受け付ける上限値設定操作受付ステップと、該上限値設定操作受付ステップで受け付けた上限値を設定する上限値設定ステップと、該上限値設定ステップで設定された上限値を用いて、前記レベル設定ステップで設定した音声出力レベルのうち音圧が不足しているボリューム値の音声出力レベルを、上げるよう補正して設定し直すレベル補正ステップとを含み、前記レベル設定ステップでの設定に基づき、前記入力された音声信号に対して、各周波数帯域の現在のボリューム値に対応する音声出力レベルで出力することを特徴とする音質調整方法。
【発明の詳細な説明】
【技術分野】
【０００１】
本発明は、音質調整装置及び音質調整方法に関し、より詳細には、可変範囲内の全てのボリューム値に対する音声出力レベルを設定し、その設定に基づき音質を調整する音質調整装置及び音質調整方法に関する。
【背景技術】
【０００２】
ＣＤプレーヤ、ＭＤプレーヤ等の音声再生装置、さらにはテレビジョン受像機、ＤＶＤプレーヤ、番組録画再生装置など、各種オーディオビジュアル（ＡＶ）機器には、入力された音声信号を出力するための音声出力装置が搭載されている。音声出力装置では、入力された音声信号に対し、現在のボリューム値（音量値）に応じた音声出力レベルをもつ音声信号がアンプに出力され、アンプに接続されたスピーカからその音声出力レベルに応じた音量の音声が出力される。
【０００３】
上述のごとき音声出力装置では、可変範囲内の全てのボリューム値に対して、それぞれ基準の音声出力レベルが予め決められており、出力音の音質を調整する際には、一般的にＦＩＲ（Finite Impulse Response）フィルタやＩＩＲ（Infinite Impulse Response）フィルタなどの音質調整装置が用いられる。ＩＩＲフィルタにはイコライザ（等価器）と呼ばれる装置も含まれる。音質調整装置では、周波数帯域毎に各ボリュームに対する音声出力レベルを変更することで、音質が調整可能となっている。音質調整装置の種類によっては、間接的に変更対象の周波数帯域を選択してから変更を実行するものもある。
【０００４】
上述のごとき音質調整は、視聴時のユーザ操作により行われるだけでなく、まず各種ＡＶ機器の出荷前に調整工程にて行われる。この目的は個別のＡＶ機器毎に内蔵スピーカユニット単体或いはスピーカユニットを一体化したスピーカボックスの性能にばらつきがあること、そしてそれらをＡＶ機器の筐体に組み込んだ後の筐体全体としての総合音質特性を調整するために行なわれる。ここで調整工程での音質調整は、周波数帯域毎に各ボリュームに対する中央の音声出力レベル（中央値）を設定することで実行される。ユーザは、視聴時に変更対象の周波数帯域の音声出力レベルを中央値から上下させる操作を行うことで、ユーザ好みの音質に調整できる。
【０００５】
図３には、音声出力装置において予め決められている、ボリューム値の可変範囲を０〜６０としてその範囲でボリューム値を変化させたときの基準の音声出力レベル（出力値［ｄＢ］、但しボリューム値０は出力オフに相当）を例示している。この音声出力レベルがアンプに入力される基準の音量データ（基準ボリュームデータ）となる。この基準の音量データは、熟練した検討者などが適切な既存のデータを選択するか或いは実際に検討者が音質検討した結果として得られるものである。そして、調整工程において、基準の音声出力レベルに対し各周波数帯域で中央値が調整される。
【０００６】
図９には、従来の音質調整装置において設定される、特定の周波数帯域（ここでは１２０Ｈｚ以下の周波数帯域）におけるボリューム値に応じた音声出力レベルを例示している。図９において、中央値（ＣＮＴ）が０ｄＢのカーブは、図３の基準の音声出力レベルに対して調整を施さないままの音量データを指し、この音量データに対し、周波数帯域に応じた設定値（例えば５．０ｄＢ，−５．０ｄＢ等）を加えたものがその周波数帯域での中央値のカーブ（例えばＣＮＴ＝５．０ｄＢ，−５．０ｄＢのカーブ等）となる。ＣＮＴを変更したカーブは、図９に示すように基準の音量データに対して上下方向に平行移動したカーブとなる。各周波数帯域において中央値として設定されたＣＮＴ値は、各周波数帯域におけるオフセット値に相当する。
【０００７】
図１０を参照して、従来の音質調整装置における周波数帯域毎の中央値の設定方法を説明する。図１０（Ｂ）は図１０（Ａ）における最大ボリューム値付近の拡大図である。図９で例示したようなＣＮＴ値は、熟練した検討者が各周波数帯域（ここでは１２０Ｈｚ以下の周波数帯域のみ例示）においてボリューム値の可変範囲の中間領域Ａ付近（この例ではボリューム値が３０付近）でＣＮＴ値を変化させて音を確認するといった音質検討を繰り返し行うことで決定される。このようにして検討者が最も良い音質であると感じたＣＮＴ値が選ばれ、その値に設定される。
【０００８】
ところで、音声出力を制限する技術としては、音声情報のレベル検出を行って音響出力信号を得て、その音響出力信号が予め設定された閾値レベル以上に大きく出力されないようにリミット制御する音量制御装置が開示されている（例えば、特許文献１を参照）。
【０００９】
また、音声出力を制限する他の技術としては、スピーカに供給される音声信号の音量を設定された特性に応じて制御する音量制御手段と、その音声信号の低音をその特性に応じて増強する低音増強手段と、低音増強動作をＯＮ／ＯＦＦさせる手段とを有し、低音増強動作がＯＮの場合において、所定値以上の音量増加に対して低音増強手段のゲインを所定の収束値に低下させる音声歪み率補正装置が開示されている（例えば、特許文献２を参照）。
【００１０】
また、特許文献３には、所定周波数帯の音量レベルを所定量増幅又は軽減してＳ／Ｎを向上させる音量調整装置が開示されている。
【特許文献１】特許第３２９７９６１号明細書
【特許文献２】特許第３３７１７５５号明細書
【特許文献３】特許第３２８５１５１号明細書
【発明の開示】
【発明が解決しようとする課題】
【００１１】
上述のごとく、音質検討を行う際には、ボリューム値の可変範囲の中間領域Ａ付近での音質で検討者が確認しているため、結果的に、中間領域Ａ付近で最も良いとされる音質に設定されることとなる。従って、例えば１２０Ｈｚ以下の周波数帯域に対し最良の音質として設定されたＣＮＴ値が５．０ｄＢであったとすると、当然中間領域Ａ付近のボリューム値で最良の音質となるが、図１０（Ａ）で示す領域Ｂのように（図１０（Ｂ）の拡大図も参照）、ボリューム値が最大となる付近では筐体にビビリが発生する。
【００１２】
しかしながら、従来の技術では、ボリューム値の可変範囲を減らさず且つ音質を犠牲ににせずにビビリを抑える手段がスピーカや筐体の構造上の工夫以外になく、結果として、中央領域Ａ付近で決定する音質を犠牲にしＣＮＴ値を例えば３．５ｄＢなどに下げるしかなかった。
【００１３】
一方で、逆にＣＮＴ値を−５．０ｄＢなどと下げすぎると、音圧が全てのボリューム値で最適であり一番良い音質となっている図３のごとき基準の音声出力レベルに比べ、図１０（Ａ）で示す領域Ｓのように最大限の音質を確保できず音圧が不足して迫力に欠けてしまう。このような場合、このまま進行するか、場合によっては、音質を犠牲にしてＣＮＴ値を上げるしかなかった。
【００１４】
実際、液晶テレビのような奥行の狭い薄型筐体にスピーカを取付けた場合は、一定レベル以上の音量でもビビリ音が発生しないようにするために、スピーカユニットの性能を選択したり、スピーカ取付け構造や筐体の振動抑制構造を工夫している。しかし、一定水準以上の高音質特性を必ずしも必要とされない汎用テレビ等の製品には性能を抑えたスピーカの採用やそのスピーカ性能を考慮した筐体への取付構造の採用を行う必要があるといった問題や、製品のモデル毎の筐体構造に合わせて必要な総合音質特性に合わし込まなければならないという問題がある。特に薄型テレビでは薄型筐体の限られたスペースにスピーカを取付けて筐体振動を抑制しなければならない。このような問題、すなわち採用可能なスピーカや筐体の制限により、音質検討で設定される音質を採用して音量を大きくした場合には筐体がビビリ出すため、製品として成り立たない。従って、上述のごとく音質を多少犠牲にしてもビビリを無くすため、音圧を減らさざるを得ず、特に、音圧の低い周波数帯では視聴迫力等に欠けていた。
【００１５】
上述のごとく、従来の音質調整方法を採用すると、音質を犠牲にせずに音圧不足やビビリを無くすことはできない。特に、スピーカの性能や筐体の振動制限で音圧が稼げない製品の場合、ビビリ無しで最大限の音質を確保することはできない。
【００１６】
さらに、従来の音質調整方法では、調整工程において調整対象となる周波数帯域が数多く存在することから、音質をどの程度犠牲にするかの決定（すなわち音質検討）及び設定に時間とコストを要することとなる。そして、この時間とコストは、別の筐体及びスピーカをもつ異なる種別の製品に同じ音質調整装置を搭載しようとする場合、製品の種別分だけ嵩むこととなる。また、ユーザ宅におけるテレビの設置環境やユーザの音質調整操作によってもこのようなビビリが生じるようなことがあり、ビビリが生じない程度の音圧しか確保できないことに変わりはない。
【００１７】
また、従来、中小型のテレビジョン受像機ではボリューム値の最大付近の音圧をリミットして使用してもユーザに受け入れられていたが、画面が大型化に向かうにつれ、音声実用最大出力を向上させボリューム値の最大値付近の音圧を向上させなければユーザにも受け入れ難くなってきている。
【００１８】
なお、特許文献１，２に記載の技術は、音声出力に最大値の閾値レベルを設定して制限することで、過度の大音響出力からユーザの耳を保護する技術や音声歪を改善する技術が開示されているだけであり、音圧を稼げるものではない。また、特許文献３に記載の技術は、入力する音量レベルに応じて音量のダイナミックレンジを増大してＳ／Ｎを改善するものであって音圧不足を解消するものではない。このように、特許文献１−３のいずれの技術でも、音質を犠牲にせずに音圧不足を無くすことはできず、また音質調整を行う際には時間とコストが嵩むことに変わりはない。
【００１９】
本発明は、上述のごとき実情に鑑みてなされたものであり、音質を犠牲にする必要がなく音圧が不足することを防止するような音質調整用の設定を、手間をかけずに行うことが可能な、音質調整装置及び音質調整方法を提供することをその目的とする。
【課題を解決するための手段】
【００２０】
上述のごとき課題を解決するために、本発明に係る音質調整装置は、入力された音声信号に対して音質を調整して出力する音質調整装置であって、設定対象の周波数帯域毎に、可変範囲全てのボリューム値に対する音声出力レベルを設定するレベル設定手段と、全ての音声出力レベルに共通の上限値を設定する上限値設定手段と、該上限値設定手段で設定された上限値を用いて、前記レベル設定手段で設定した音声出力レベルのうち音圧が不足しているボリューム値の音声出力レベルを、上げるよう補正して設定し直すレベル補正手段とを備え、前記レベル設定手段での設定に基づき、前記入力された音声信号に対して、各周波数帯域の現在のボリューム値に対応する音声出力レベルで出力することを特徴としたものである。
【００２１】
また、本発明に係る音質調整方法は、入力された音声信号に対して音質を調整して出力する音質調整方法であって、設定対象の周波数帯域毎に、可変範囲全てのボリューム値に対する音声出力レベルを設定する操作を受け付ける操作受付ステップと、該操作受付ステップで受け付けた操作を実行し前記音声出力レベルを設定するレベル設定ステップと、全ての音声出力レベルに共通の上限値を設定する操作を受け付ける上限値設定操作受付ステップと、該上限値設定操作受付ステップで受け付けた上限値を設定する上限値設定ステップと、該上限値設定ステップで設定された上限値を用いて、前記レベル設定ステップで設定した音声出力レベルのうち音圧が不足しているボリューム値の音声出力レベルを、上げるよう補正して設定し直すレベル補正ステップとを含み、前記レベル設定ステップでの設定に基づき、前記入力された音声信号に対して、各周波数帯域の現在のボリューム値に対応する音声出力レベルで出力することを特徴としたものである。
【発明の効果】
【００２２】
本発明によれば、音質を犠牲にする必要がなく音圧が不足することを防止するような音質調整用の設定を、手間をかけずに行うことが可能となる。
【発明を実施するための最良の形態】
【００２３】
図１は、本発明の一実施形態に係る音質調整装置の構成例を示すブロック図で、図中、１はＦＩＲフィルタやＩＩＲフィルタなどの音質調整装置（音声信号処理装置とも言える）である。図１で例示する音質調整装置１は、入力音声信号に対して音質及び音量を調整を行って後段（アンプ等）へ出力する音質音量調整手段１５を備えると共に、後述する操作手段１１、レベル設定手段１２、上限値設定手段１３、及びレベル補正手段１４を備え、音質調整用の値が変更可能となっている。
【００２４】
本発明に係る音質調整装置としてはアンプを組み込んだものを採用してもよい。そして、本発明に係る音質調整装置は、音声出力装置をもつ様々なＡＶ機器や汎用のパーソナルコンピュータ（ＰＣ）にも搭載可能であり、それら機器に外部接続することもできる。
【００２５】
操作手段１１は、各種ＡＶ機器に搭載する場合には、機器のリモコンや本体に設けられた操作ボタン等の入力装置とその入力結果や設定結果を表示する表示装置などで構成される。また、ＰＣに搭載する場合には、設定者からの操作を受け付けるためのキーボードやポインティングデバイス等の入力装置とその入力結果や設定結果を表示する表示装置などで構成される。なお、操作手段１１とレベル設定手段１２及び上限値設定手段１３とを別々に図示し以下の説明では操作手段１１を分けて説明するが、レベル設定手段１２には操作手段１１が含まれ、上限値設定手段１３にも同じ操作手段１１が含まれる。
【００２６】
レベル設定手段１２、上限値設定手段１３、及びレベル補正手段１４（及び音質音量調整手段１５）は、ＣＰＵ等の演算処理装置、ＲＯＭやハードディスク等のプログラム格納領域、及びＲＡＭ等の作業領域などのハードウェアに加え、プログラム格納領域に所定の制御プログラムを格納して構成してもよい。これにより、プログラム格納領域に格納された所定の制御プログラムをＣＰＵ等でＲＡＭ等上に読み出して実行させ、各手段１２〜１４（及び音質音量調整手段１５）の機能を実現することができる。同様に、これらの手段は音声用のデジタル信号プロセッサとして搭載してもよく、内部の制御プログラムが書き換え可能なものを採用してもよい。
【００２７】
レベル設定手段１２は、操作手段１１から設定者の操作を受け付け、設定対象の周波数帯域毎に、可変範囲全てのボリューム値に対する音声出力レベルを設定することで、音質特性の設定が可能となっている。上限値設定手段１３は、操作手段１１から設定者の操作を受け付け、全ての音声出力レベルに共通の上限値（リミット値）を設定する。そして、本発明の主たる特徴部分であるレベル補正手段１４は、上限値設定手段１３で設定された上限値を用いて、レベル設定手段１２で設定した音声出力レベルのうち音圧が不足しているボリューム値の音声出力レベルが存在する場合、不足している音声出力レベルを上げるよう補正することで、音質特性を設定し直す。
【００２８】
最終的に、入力音声信号は、この設定し直し処理を経たレベル設定手段１２での設定（各周波数帯域別のデータ（各ボリューム値に対応する音声出力レベル））を参照して、音質音量調整手段１５で音質・音量が調整され、結果的に各周波数帯域の現在のボリューム値に対応する音声出力レベルで、アンプから出力音声信号として出力される。従って、レベル補正手段１４は、このような出力補正を行う手段であると言える。なお、現在のボリューム値は、ユーザ操作により可変範囲内で設定されるか、さもなくばデフォルト値がそのまま用いられる。
【００２９】
また、本発明に係る設定及びその補正処理は、製品出荷前の調整工程だけでなく視聴時のユーザ操作により行われる。従って、上述の設定者としてはメーカ側の音質検討者とユーザとが該当する。
【００３０】
本発明では、上述のごとく、音圧が足りない場合には不足している付近の音声出力特性を持ち上げて音圧を稼ぐことにより音質を改善する。特に、ボリューム値の中間領域等の領域で音質検討をして、設定しているためこの設定値のままの場合、ボリューム値の最大値付近で音圧が足りないこともある。このような場合に、例えば簡単なプログラム制御により上述のごとき補正を施すことによって、音圧を上げてスピーカの持つ性能（音圧）を最大限に発揮できるように音声出力特性を制御することができる。すなわち、特定の周波数帯で、音圧が足りないような場合でも出力補正が容易に可能となり、必要音圧を稼げ、スピーカの性能を最大限に引き出せる。従って、本発明では、音圧不足解消のために、音量のボリューム値の可変範囲を増やす必要がない（可変範囲を維持したまま）し、音質検討した領域の音声出力レベルはそのままであり、音質を犠牲にする必要もない。
【００３１】
さらに、対象となる周波数帯域が数多く存在するが、本発明では、音圧不足の心配がないため音質をどの程度犠牲にするかの決定は行わずに済み、設定にかかる時間（手間）やコストが大幅に低減できる。ユーザ操作によっても音圧不足が生じることはなく、最大限の音圧を確保することができる。また、調整工程においては、調整対象となる周波数帯域が数多く存在するため、特に有益であり、筐体がビビるようなシステムの製品である場合でも音圧不足気味に設定しておいても音圧不足が生じることがない。従って、調整工程においては、別の筐体及びスピーカをもつ異なる種別の製品に同じ音質調整装置を搭載しようとする場合にも、基本的にリミット値を指定し直すだけで音圧不足なく搭載することができる。すなわち、音質は、製品の機構構造やスピーカなどの構造によって必ず変化するため、通常は構造が変わるごとに音質調整する必要があるが、製品種別の要望スペックにリミット値を書き換えるだけで対応できる。なお、製品展開により音声実用最大出力を向上させたいときには、製品別に音声出力特性を変えてもよく、さらに筐体の構造も変えてもよい。
【００３２】
また、本発明の対象となる音質調整装置としては、トーンコントローラとも呼ばれるシェルビングイコライザ、周波数特性に山又は谷をもたせポイント周波数からＱ値で決まる所定の範囲の周波数帯域を制御するピーキングイコライザ、それを複数個まとめたパラメトリックイコライザ、Ｑ値を一定にしたピーキングイコライザに相当するグラフィックイコライザなど、様々なものが挙げられる。
【００３３】
以下、本発明に係る音質調整装置について、選択された周波数帯域のみの音声出力レベルを上下動させるグラフィックイコライザを前提として説明する。しかしながら、音質調整装置の種類によっては、間接的に変更対象の周波数帯域を選択してから変更を実行することもでき、このような音質調整装置も適用できる。例えば、パラメトリックイコライザではポイント周波数、Ｑ値、及びポイント周波数での音声出力レベルを上下動させる値を設定することで、間接的にそのＱ値で指定される範囲の周波数帯域が制御対象として選択されると共に、対象の周波数帯域の上下動の値もＱ値に基づく尖鋭度に応じて間接的に決定される。他の例として、特別なグラフィックイコライザでは、上下動させる周波数帯域だけでなく、間接的に、隣接する他の周波数帯域も緊密或いはゆるやかに連動させて上下動させることができる。
【００３４】
次に、このような設定及びその補正処理が調整工程で行われる場合について、図１乃至図４を参照しながら説明する。図２は、調整工程で行われる音質調整用の設定時に表示される音質初期設定画面の一例を示す図、図３は、図１の音質調整装置で使用するボリューム値に応じた基準の音声出力レベルを示す特性図である。また、図４は、図１の音質調整装置においてレベル設定手段での設定並びにレベル補正手段での補正の一例を説明するための図で、図４（Ａ）は設定、補正それぞれの段階の各ボリューム値に対する音声出力レベルの一例を示す特性図で、図４（Ｂ）は図４（Ａ）における最大ボリューム値付近の拡大図である。
【００３５】
調整工程で上述のごとき設定及びその補正処理を可能とするため、音声調整装置１のレベル設定手段１２は次の初期設定手段１２ａを備えることが好ましい。初期設定手段１２ａは、各ボリューム値に対して予め指定された基準の音声出力レベルを用いて、周波数帯域毎の各ボリューム値に対する音声出力レベルを初期設定レベルとして設定する。ここで初期設定レベルとは、オフセット値、中央値、或いは中間レベルなどとも言えるレベルである。そして、レベル補正手段１４は、ここで設定された初期設定レベルに対しても当然補正を実行する。
【００３６】
このような処理について具体的に説明する。まず、各ボリューム値に対して予め指定された基準の音声出力レベルとは、例えば図３で例示したような基準の音量データ（基準ボリュームデータ）を指す。基準ボリュームデータは、熟練した検討者などが適切な既存のデータを選択するか或いは実際に検討者が音質検討した結果として得るなどすればよく、図３に例示した上に凸のカーブに限らず下に凸のカーブや直線状のものなどが採択されてもよい。
【００３７】
基準ボリュームデータ自体は、以下それを前提として説明するように、メモリ１２ｃにテーブル形式などで格納しておくとよい。メモリ１２ｃはレベル設定手段１２の外部に図示しているがその一部である。また、音質調整装置１は音声出力装置に対して機能するように組み込まれることから、基準ボリュームデータは音声出力装置において予め決められているものを使用してもよく、その場合、格納先のメモリ１２ｃは音声出力装置のメモリとなる。メモリ１２ｃに基準ボリュームデータを格納しておく代わりに、与えられたボリューム値に対してその基準ボリュームデータが示す値を返すことができるハードウェアを搭載しておくことでも、同様の機能は果たせる。
【００３８】
初期設定手段１２ａは、操作手段１１によって図２で例示するような音質初期設定画面２を表示させ、その音質初期設定画面２の設定表示領域２３に、その基準ボリュームデータ２５をグラフ表示すると共に、上限値設定領域２１、設定対象周波数帯域選択領域２２を表示し、設定対象の周波数帯域の選択及び上限値の設定を可能にしておくとよい。
【００３９】
上限値としては、筐体がビビリはじめる手前の値を採用しておくとよく、実際、基準ボリュームデータの設定時にこの値は既知となっている。この例では、上限値を１．０ｄＢとして説明する。単にリミットをかけたい出力値を設定しておくだけで、後述するように音圧不足となるボリューム値の出力値を補正することができる。
【００４０】
初期設定手段１２ａは、ここで選択・設定された設定対象の周波数帯域（ここでは１２０Ｈｚ以下）及び上限値（ここでは１．０ｄＢ）に基づき、設定表示領域２３に、対象の周波数帯域のバンドボリュームデータ（各ボリューム値に対する音声出力レベル）２６を、基準ボリュームデータ２５のグラフとは区別してグラフ化して表示すると共に、リミット線２４をグラフ化して表示する。音質検討者が何も検討していない段階（ＣＮＴ＝０ｄＢ）では、基準ボリュームデータ２５とバンドボリュームデータ２６のグラフは一致している。
【００４１】
初期設定手段１２ａは、音質検討者が実際にボリューム値「３０」付近で音を聴きながら、バンドボリュームデータ２６のグラフを選択して上下動（上下に平行移動）させることで、或いは上下動させる値を入力する領域を別途設けておきそこに値を入力することで、バンドボリュームデータ２６を設定する。例えば、音質検討者がボリューム値「３０」で一番音質が良いと判断したＣＮＴ値が−５．０ｄＢであった場合、図４において各ボリューム値に対して△で示す出力値（音声出力レベル）が、バンドボリュームデータ２６としてテーブル形式などでメモリ１２ｃに格納される。格納の際には、上下動の移動量を検出するか或いは入力された上下動の値（移動値）を読み取ることで、対応する出力値に一律で移動量を加算すればよい。なお、図４等のグラフでは、紙面の都合上、△等の出力値を全てのボリューム値に対応して図示できていないが、実際には全てのボリューム値に対応したデータとして存在する。
【００４２】
初期設定手段１２ａに限らず、このようにレベル設定手段１２は、各周波数帯域における各ボリューム値に対する音声出力レベルを周波数帯域別のボリュームテーブルとして設定することが好ましい。
【００４３】
さらに、レベル設定手段１２は、基準の音声出力レベルを採用したとき、それを上述のごとく基準ボリュームテーブルとして格納しておき、各周波数帯域における各ボリューム値に対する音声出力レベルを、基準ボリュームテーブルからの周波数帯域別のレベル変化値で設定することが好ましい。これにより、対応する出力値に一律で移動量を加算し易くなる。また、この形態においては、設定・補正後のバンドボリュームデータ２６は、上述した格納方法に限らず、レベル変化値としてメモリ１２ｃに格納することができ、音質音量調整手段１５での音質調整時に現在のボリューム値に対応するデータを、そのレベル変化値と基準ボリュームデータ２５とを読み出して使用される。
【００４４】
このように設定されたバンドボリュームデータ２６に対し、レベル補正手段１４が、そのデータ２６をメモリ１２ｃから読み出して上限値（ここではリミット線２４で示す１．０ｄＢ）を用いて、音圧が不足しているボリューム値の出力値（音声出力レベル）が存在する場合、不足している音声出力レベルを上げるよう補正して設定し直し、メモリ１２ｃに再格納される。図５の例では各ボリューム値に対して□で示す出力値が、設定し直されたバンドボリュームデータ２６として格納される。図２の設定表示領域２３には、設定中に自動的に補正されたデータが逐次表示されることが好ましい。
【００４５】
より具体的には、音圧不足防止用の補正は、まずレベル補正手段１４が上限値を用いて音圧不足を検出することから始まる。このように、レベル補正手段１４は、上限値を用いて音圧不足を検出する不足検出手段を有することが好ましい。音圧不足の検出及びその補正としては、例えば次の（１），（２）が挙げられる。
【００４６】
（１）レベル補正手段１４は、レベル設定手段１２で設定した音声出力レベルのうちボリューム値の最小値から所定範囲に含まれるボリューム値に対する音声出力レベルが、上限値を所定値以上下回った場合に音圧不足であると判断する。図４で例示すると、所定値を１０ｄＢ、ＣＮＴ＝−５．０ｄＢとした場合、ボリューム値が所定範囲「１（最小値）」〜「５２」で上限値１．０ｄＢから所定値１０ｄＢ以上、下回っているため、音圧不足であると判断される。
【００４７】
そして、レベル補正手段１４は、その下回った所定範囲「１」〜「５２」以外のボリューム値「５３」〜「６０」に対する音声出力レベルを、上限値を用いて補正して設定し直す。上限値を用いた補正方法としては、例えば上限値と音声出力レベルとの中間値を採用するなど、様々な方法が適用できる。
【００４８】
（２）レベル補正手段１４は、「レベル設定手段１２で設定した周波数帯域別のレベル変化値」の絶対値をもつ音声出力レベルが上限値を超えた場合に音圧不足であると判断する。レベル変化値がＣＮＴ＝−５．０ｄＢの場合、その絶対値はＣＮＴ＝５．０ｄＢであり、図４において各ボリューム値に対して○で示す出力値（音声出力レベル）のバンドボリュームデータに値する。このデータが上限値１．０ｄＢを超えるボリューム値は「５３」である。
【００４９】
そして、レベル補正手段１４は、その超えた音声出力レベルに対応した周波数帯域別のレベル変化値で設定した音声出力レベル（この例ではボリューム値「５３」以上に対する出力値）を、上限値を用いて補正して設定し直す。上限値を用いた補正方法としては、例えば上限値と音声出力レベルとの中間値を採用するなど、様々な方法が適用できる。
【００５０】
このように、まずＣＮＴ値をその絶対値に置き換えたカーブを想定する。そしてそのカーブがリミット線と交わるところ（この場合、ボリューム値「５２」）より、大きいボリューム値において音圧補正を行う。補正の他の例を挙げると、補正量を絶対値でのカーブの出力値から上限値を差し引き、その差し引いた値を補正前の値に足し合わせることで音圧補正を行う。ボリューム値が「５３」のときには５．０ｄＢでの出力値は１．５ｄＢであるため、１．５−上限値（１．０）＝０．５［ｄＢ］を補正前の値−８．５ｄＢに足し合わせる。ボリューム値「５３」に対する補正後の値は、−８．５＋０．５＝−８．０［ｄＢ］となる。以下同様にして、ボリューム値が「５４」〜「６０」までの算出を行うとよい。
【００５１】
以上のような設定・補正が、他の周波数帯域に対しても同様に施され、メモリ１２ｃに音質検討者が検討した後のバンドボリュームデータ２６が格納される。音質音量調整手段１５は、音質調整時にこのデータ２６の中から現在のボリューム値に対応するデータを読み出して使用する。レベル補正手段１４で補正対象となるデータは、音質検討者が音質を検討する際に使用した領域（例えば「３０」付近の中間領域等）のデータではないため、音質はそのまま確保することができ、さらに音圧不足が生ずるボリューム値のデータを補正するため音圧不足も発生することがない。
【００５２】
また、基準の音声出力レベル無しで、各周波数帯域毎に設定を行うことも可能である。例えば或る周波数帯域で設定したデータテーブルを元に隣接する周波数帯域の音声出力レベルを設定することができる。
【００５３】
次に、同じく設定及びその補正処理が調整工程で行われる場合について、採用すると好ましい別の補正処理を挙げて説明する。図５は、図１の音質調整装置においてレベル設定手段での設定並びにレベル補正手段での補正の他の例を説明するための図で、図５（Ａ）は設定、補正それぞれの段階の各ボリューム値に対する音声出力レベルの例を示す特性図で、図５（Ｂ）は図５（Ａ）における最大ボリューム値付近の拡大図である。
【００５４】
図４等を参照した設定及びその補正処理においても音圧不足の心配なく設定者が設定を行えるが、さらに補正処理に伴うビビリ発生の心配も解消するために、次のような補正を行うことが好ましい。すなわち、レベル補正手段１４は、上限値を用いた補正で設定し直した或るボリューム値に対する音声出力レベルが上限値を超えた場合、その超えた音声出力レベルを上限値に補正することで、音質特性を再度設定し直すことが好ましい。
【００５５】
これは、音圧不足防止のために補正した結果が、上限値を超える場合もあることを想定したものであり、音圧不足を解消した結果、筐体がビビることを防ぐことができる。このように、音量の最大付近で音声出力特性をリミット制御しながら、音圧が足りない場合に不足している付近の音声出力特性のみを持ち上げて音圧を稼ぐことができる。また、ビビリの心配がないため、最大限の音質を確保できず音圧が不足して迫力に欠けてしまうようなことがないように音質調整用の設定が行える。
【００５６】
例えば、図５に示したように上限値を−１．０ｄＢに選択設定していたとし、音質検討の結果、中間領域での音質が良好になるレベル変化値がＣＮＴ＝−５．０ｄＢであったとする。その絶対値はＣＮＴ＝５．０ｄＢであり、図５において各ボリューム値に対して○で示す出力値（音声出力レベル）のバンドボリュームデータに値する。このデータが上限値−１．０ｄＢを超えるボリューム値は「４８」であり、「４９」以上が音圧不足の補正対象となる。補正量を絶対値でのカーブの出力値から上限値を差し引き、その差し引いた値を補正前の値に足し合わせることで音圧補正を行うと、ボリューム値が「４９」〜「５７」は上限値−１．０ｄＢを超えることはないが、それ以降は超えてしまう。従って、ボリューム値が「５８」〜「６０」での出力値を上限値の−１．０ｄＢに補正してしまう。なお、ここでは上記（２）の音圧不足検出・補正を挙げて説明したが上記（１）にも同様に適用できる。
【００５７】
次に、上述のごとき設定及びその補正処理がユーザによって行われる場合について、図６乃至図８を併せて参照しながら説明する。ＴＶ受像機以外の機器でも同様である。図６は、図１の音質調整装置を組み込んだＴＶ受像機の一構成例を示すブロック図、図７は、図６のＴＶ受像機に付属するリモコンの一例を示す外観図で、図中、３はＴＶ受像機、６０はリモコンである。また、図８は、図６のＴＶ受像機においてユーザによる音質調整用の設定時に表示されるメニュー画面の一例を示す図である。
【００５８】
図６で例示するＴＶ受像機３は、デジタル放送とアナログ放送とのいずれも受信可能なＴＶ受像機であって、アナログ放送を受信する受信アンテナ３１と、デジタル放送を受信する受信アンテナ３２と、アナログ放送の受信信号をチューニング（選局）するアナログチューナ部３３と、デジタル放送の受信信号をチューニングするデジタルチューナ部３４と、アナログ放送の受信データからオーディオデータ／ビデオデータを抽出するＡＶスイッチ部３５と、チューニングされたデジタル放送のデータを復調するデジタル復調部３６とを備える。なお、衛星放送等の他の放送を受信するには、同様にアンテナ、チューナ、及び復調部などをＴＶ受像機１に設ければよい。
【００５９】
また、ＴＶ受像機１は、ＥＰＧ（電子番組ガイド）データの抽出や、復調されたデータの分離を行う分離部３７と、分離されたデジタル放送のビデオデータをデコードしたり、ビデオ情報を静止画としてキャプチャするビデオデコード／キャプチャ部３８と、アナログ放送のビデオ信号とデジタル放送のビデオ信号との切換を行うビデオセレクタ部３９と、分離されたＥＰＧの処理や、ＯＳＤ（オンスクリーンディスプレイ）の表示処理を行うと共に、ＥＰＧと予約情報とをミックスさせて表示する処理を行うＥＰＧ／ＯＳＤ／予約処理部４０とを備える。なお、ＥＰＧの他にＥＳＧ（電子シンプルガイド）やテレテキストも表示可能としてもよい。
【００６０】
また、ＴＶ受像機３は、分離されたオーディオデータをデコードすると共に、本発明に係る音質調整を施した音量制御を行うアンプ付きのオーディオデコード／音質・音声制御部４１と、セレクトされたビデオ信号とＥＰＧやＯＳＤとを合わせてからビデオ出力として変換するビデオ出力変換部４２と、アナログ放送のオーディオ信号とデジタル放送のオーディオ信号の切換を行うオーディオセレクタ部４３と、セレクトされたオーディオ信号をＤ／Ａ変換するなどして出力信号に変換するオーディオ出力変換部４４と、アナログ放送及びデジタル放送のチューナでの選局処理を行う選局部４７とを備える。
【００６１】
ここで、本発明に係る音質調整を行う部位を、オーディオデコード／音質・音声制御部４１として例示したが、オーディオデコード部と分離して構成してもよく、例えばオーディオセレクタ部４３の後段に図１のごとき音質調整装置を備えてもよい。また、アンプもオーディオデコード／音質・音声制御部４１に設けた例を説明したが、音質調整を行う部位とは別に構成してもよい。
【００６２】
さらに、ＴＶ受像機３は、液晶表示装置４５やプラズマパネルディスプレイ等の表示装置と、音声出力用にスピーカ４６を備える。液晶表示装置４５は、ビデオ出力変換部４２から出力されたビデオ信号（映像信号）を表示する。スピーカ４６は、オーディオ出力変換部４４から出力された出力信号に基づき音声を出力する。また、ＴＶ受像機３は、ユーザが操作するリモコン６０からの信号を受信するリモコン受光部５２と、電話回線、ＬＡＮ、インターネット等のネットワーク網との通信制御を行うと共に、ＥＰＧデータの取得等に使用される通信制御部５１とを備える。
【００６３】
また、ＴＶ受像機３は、本発明の主たる特徴部分である音質調整用の設定処理をはじめとする全体の処理を実行するＣＰＵ４９と、任意のアドレスを指定して読み書きすることが可能な半導体メモリであってＣＰＵ４９の作業領域となって不揮発性メモリ５０に格納されたプログラムを読み出したり、処理中のデータを一時的に格納したりするＲＡＭ４８と、プログラムや、本発明に係るボリュームデータ（設定・補正後のバンドボリュームデータ又はレベル変化値や基準ボリュームデータ）をはじめＥＰＧデータやユーザデータなどの各種データが格納される書換え可能な不揮発性メモリ５０とを備える。基準ボリュームデータは、オーディオデコード／音質・音声制御部４１に格納されてもよく、バンドボリュームデータ又はレベル変化値も最終的に同部４１に格納されてもよい。
【００６４】
不揮発性メモリ５０に格納されＣＰＵ４９によってＲＡＭ４８上に読み出されて実行されるプログラムには、ＴＶ受像機１全体の制御を行うプログラムの他に、音質調整用の設定処理及びその補正処理を実行するための制御プログラムも含まれることとなる。
【００６５】
一方、図７で例示するリモコン６０は、映像表示装置の電源のオン／オフを操作する電源ボタンをはじめ、チャンネル番号を選択する操作を行うためのチャンネル選択ボタン６１、音量を上下に調整するための音量上下ボタン６２、チャンネル番号を上方向及び下方向に操作して選択するチャンネル上下ボタン６３、アナログ、デジタル、放送衛星（ＢＳ）、及び通信衛星（ＣＳ）等の放送信号や外部入力の映像信号の間で入力する映像信号を切り換える入力切換ボタン６４、ＴＶ受像機１の各種設定を行うメニュー画面７を表示する操作を行うためのメニュー画面表示ボタン６５、メニューをはじめ設定時のカーソル位置の左右上下方向への移動操作や決定操作を行うための移動・決定ボタン６６、各処理を終了させる操作を行う終了ボタン６７、及び各処理を一つ前の段階に戻す操作を行う戻りボタン６８などが設けられている。
【００６６】
上述のごときＴＶ受像機３において、ユーザ側でも図１で説明したような設定及びその補正処理を可能とするため次の（３），（４）で例示するようなユーザ設定手段を備えることが好ましい。図１に戻って説明すると、音声調整装置１には、レベル設定手段１２においてユーザ設定手段１２ｂを備えることを意味する。
【００６７】
（３）音声調整装置１には、ユーザから、指定の周波数帯域における各ボリューム値に対する音声出力レベルを変更する操作を受け付ける変更操作手段を備えておく。この変更操作手段は、操作手段１１として説明した手段である。そして、ユーザ設定手段１２ｂは、変更操作手段で受け付けた操作に基づき、初期設定手段１２ａで設定された指定周波数帯域における各ボリューム値に対する初期設定レベルとしての音声出力レベルを変更する。変更操作手段での操作方法やそれに基づく変更処理は、図２等で説明したのと同様である。
【００６８】
このユーザ設定手段１２ｂにより、初期設定レベルを変更されたバンドボリュームデータは、レベル補正手段１４によって同様の音圧不足防止処理やそのときのビビリ防止処理が施されたバンドボリュームデータ又はレベル変化値として音質調整時に読み出し可能に記憶される。
【００６９】
（４）ユーザ設定手段１２ｂは、初期設定手段１２ａを備えない形態においても次のように改めることで組み込むことができる。このときのユーザ設定手段１２ｂは、次の設定操作手段で受け付けた操作に基づき、指定の周波数帯域における各ボリューム値に対する音声出力レベルを設定する。すなわち、ここでのユーザ設定手段１２ｂは初期設定手段１２ａで説明したのと同様の処理を行う手段であり、設定者が音質検討者の場合に比べ簡易的な設定だけできるようにしておくとよい。設定操作手段は、操作手段１１として説明した手段であり、特に、ユーザから、指定の周波数帯域における各ボリューム値に対する音声出力レベルを設定する操作を受け付ける。
【００７０】
このユーザ設定手段１２ｂにより、設定された変更されたバンドボリュームデータは、レベル補正手段１４によって同様の音圧不足防止処理やそのときのビビリ防止処理が施されたバンドボリュームデータ又はレベル変化値として音質調整時に読み出し可能に記憶される。
【００７１】
上記（３），（４）のいずれのユーザ設定手段１２ｂであっても、上限値の設定は、ユーザが行えるようにしても行えないようにしてもよいが、後者の方が好ましい。また、ユーザに、この上限値を機能させるか否かのモード選択を行わせてもよい。
【００７２】
このようなユーザ設定手段は、主に、ＴＶ受像機３のリモコン６０や本体に設けられた操作ボタン等の入力装置とその入力結果や設定結果を表示する液晶表示装置４５と、そのようなユーザＩ／Ｆを提供する制御プログラムとで構成される。
【００７３】
より具体的に処理と共に説明すると、ユーザがリモコン６０のメニューボタン６５を押下すると、リモコン受光部５２でその押下信号を受信し、ＣＰＵ４９がＥＰＧ／ＯＳＤ／予約処理部４０に対して図８で例示したようなメニュー画面７をＯＳＤ表示するよう指示し、液晶表示装置４５がメニュー画面７を表示する。ＴＶ受像機３では、ここでなされた設定に基づき各種処理が実行されることとなる。
【００７４】
例示するメニュー画面７には、本発明に係わる音声調整選択領域７１の他に、映像調整選択領域、省エネ設定領域、本体設定領域などの他の設定を行うための選択領域が表示されている。この表示に続き、ユーザがリモコン６０の移動・決定ボタン６６を用いて、音声調整選択領域７１を選択すると、ＯＳＤ表示画面にそこで調整できる各種設定が追加表示される。追加表示される各種設定の領域としては、例えば、高音調整領域７２、低音調整領域７３、左右バランス調整領域７４、ドルビーバーチャルＯＮ／ＯＦＦ設定領域７５、ビビリ防止ＯＮ／ＯＦＦ設定領域７６、音圧低下防止ＯＮ／ＯＦＦ設定領域７７、及びリセット指定領域７８などが挙げられる。
【００７５】
左右バランス調整領域７４は、左右のスピーカの出力バランスを調整する領域で、ドルビーバーチャルＯＮ／ＯＦＦ設定領域７５はドルビーバーチャルサラウンドをＯＮにするかＯＦＦにするかを選択する領域で、リセット指定領域７８は、各領域７２〜７８，７９で設定した値を工場出荷時に全て戻す処理を実行させるための領域である。
【００７６】
本発明に係わる高音調整領域７２、低音調整領域７３は、それぞれ高音／低温の周波数帯域をＣＮＴ値から上下させる調整を行うための領域で、移動・決定ボタン６６等の操作に基づきスライダによって例えば＋１０ｄＢ／０ｄｂなどと設定できる。ここでの設定は、図１のユーザ設定手段１２ｂによる設定に該当し、領域７２，７３の選択は設定対象の周波数帯域の選択に相当し、スライダによる設定値はレベル変化値の設定に相当する。
【００７７】
ビビリ防止ＯＮ／ＯＦＦ設定領域７６は、図５のごときビビリ防止処理を実行するか否かを設定するための領域で、音圧低下防止ＯＮ／ＯＦＦ設定領域７７は、図４（及び図５；但しリミット値への制限は除く）で説明したような音圧不足防止（解消）処理を実行するか否かを設定するための領域である。このように、ユーザ操作ではビビリ防止及び／又は音圧不足防止処理をＯＦＦして音質調整用の設定を行ってもよい。なお、ビビリ防止処理単独でＯＮの場合には図５で説明した処理を音圧不足防止処理を施さずに実行するとよい。双方ＯＮにすることで、ユーザ操作によってもビビリが生じることはなく、最大限の音圧を確保することができる。
【００７８】
リミット値設定領域７９は、ビビリ防止ＯＮ／ＯＦＦ設定領域７６或いは音圧低下防止ＯＮ／ＯＦＦ設定領域７７をＯＮにしたときに、どのリミット値を用いるかを設定する領域で、デフォルトでは上述した調整工程において設定された工場出荷値としておき、ユーザによって適宜変更可能としておけばよい。
【００７９】
また、このような音質調整用の設定は、ＴＶ受像機３がサラウンドシステムを採用しているときなどでは、左右のメインスピーカとサブウーハ、左右のサブスピーカなどによって、異なるように（すなわち別々の設定値に）設定しておくことが好ましい。各スピーカによって、ＴＶ受像機３の本体や音楽プレーヤ本体にメインスピーカが内蔵されている場合をはじめ、音圧不足度合いやビビリの度合いが異なるためである。
【００８０】
以上、図１乃至図８を参照しながら、本発明の音質調整装置について各実施形態を説明してきたが、本発明の音質調整装置においてその調整手順（音質調整用の値の設定手順）に沿って説明したように、本発明は音質調整方法としての形態も採用できる。
【００８１】
また、上述した音質調整装置に組み込み、その手順を実行するためのプログラムとしての形態も採用してもよい。このプログラムは、図１や図６で制御プログラムとして例示したものである。そして、このようなプログラムは、それを記録したコンピュータ読み取り可能な記録媒体としての配布することやネットワーク経由で配信することができ、本発明に係る音質調整処理を実行させたい各種ＡＶ機器やＰＣなどに実行可能に組み込むことができる。
【図面の簡単な説明】
【００８２】
【図１】本発明の一実施形態に係る音質調整装置の構成例を示すブロック図である。
【図２】調整工程で行われる音質調整用の設定時に表示される音質初期設定画面の一例を示す図である。
【図３】図１の音質調整装置で使用する、ボリューム値に応じた基準の音声出力レベルを示す特性図である。
【図４】図１の音質調整装置においてレベル設定手段での設定並びにレベル補正手段での補正の一例を説明するための図である。
【図５】図１の音質調整装置においてレベル設定手段での設定並びにレベル補正手段での補正の他の例を説明するための図である。
【図６】図１の音質調整装置を組み込んだＴＶ受像機の一構成例を示すブロック図である。
【図７】図６のＴＶ受像機に付属するリモコンの一例を示す外観図である。
【図８】図６のＴＶ受像機において、ユーザによる音質調整用の設定時に表示されるメニュー画面の一例を示す図である。
【図９】従来の音質調整装置において設定される、特定の周波数帯域におけるボリューム値に応じた音声出力レベルを示す特性図である。
【図１０】従来の音質調整装置における周波数帯域毎の中央値の設定方法を説明するための図である。
【符号の説明】
【００８３】
１…音質調整装置、２…音質初期設定画面、３…ＴＶ受像機、７…メニュー画面、１１…操作手段、１２…レベル設定手段、１２ａ…初期設定手段、１２ｂ…ユーザ設定手段、１２ｃ…メモリ、１３…上限値設定手段、１４…レベル補正手段、１５…音質音量調整手段、２１…上限値設定領域、２２…設定対象周波数帯域選択領域、２３…設定表示領域、２４…リミット線、２５…基準ボリュームデータ、２６…設定ボリュームデータ、３１…受信アンテナ、３２…受信アンテナ、３３…アナログチューナ部、３４…デジタルチューナ部、３５…ＡＶスイッチ部、３６…デジタル復調部、３７…分離部、３８…キャプチャ部、３９…ビデオセレクタ部、４０…ＥＰＧ／ＯＳＤ／予約処理部、４１…オーディオデコード／音質・音量制御部、４２…ビデオ出力変換部、４３…オーディオセレクタ部、４４…オーディオ出力変換部、４５…液晶表示装置、４６…スピーカ、４７…選局部、４８…ＲＡＭ、４９…ＣＰＵ、５０…不揮発性メモリ、５１…通信制御部、５２…リモコン受光部、６０…リモコン、６１…チャンネル選択ボタン、６２…音量上下ボタン、６３…チャンネル上下ボタン、６４…入力切換ボタン、６５…メニュー画面表示ボタン、６６…移動・決定ボタン、６７…終了ボタン、６８…戻るボタン、７１…音声調整選択領域、７２…高音調整領域、７３…低音調整領域、７４…左右バランス調整領域、７５…ドルビーバーチャルＯＮ／ＯＦＦ設定領域、７６…ビビリ防止ＯＮ／ＯＦＦ設定領域、７７…音圧低下防止ＯＮ／ＯＦＦ設定領域、７８…リセット指定領域、７９…リミット値設定領域。
【図１】
2008187624.tif 000003
【図２】
2008187624.tif 000004
【図３】
2008187624.tif 000005
【図４】
2008187624.tif 000006
【図５】
2008187624.tif 000007
【図６】
2008187624.tif 000008
【図７】
2008187624.tif 000009
【図８】
2008187624.tif 000010
【図９】
2008187624.tif 000011
【図１０】
2008187624.tif 000012